(57)【要約】【課題】ユーザの意図を反映した通信方式で通信することが可能な携帯端末装置を提供する。【解決手段】通信装置を介して第１のネットワークに接続可能に構成された通信モジュールを取り付け可能な携帯端末装置が提供される。携帯端末装置は、第１のネットワークとは異なる第２のネットワークに接続して通信する無線通信部と、他の通信装置への発信指示に基づいて、所定の選択条件に従い、通信モジュールを介して通信する通信方式または無線通信部を介して通信する通信方式のいずれかを選択する選択部と、選択された通信方式により、他の通信装置と通信する通信部とを備える。【選択図】図４
2013192170.tif 000002
【特許請求の範囲】
【請求項１】
通信装置を介して第１のネットワークに接続可能に構成された通信モジュールを取り付け可能な携帯端末装置であって、
前記第１のネットワークとは異なる第２のネットワークに接続して通信する無線通信部と、
他の通信装置への発信指示に基づいて、所定の選択条件に従い、前記通信モジュールを介して通信する通信方式または前記無線通信部を介して通信する通信方式のいずれかを選択する選択部と、
前記選択された通信方式により、前記他の通信装置と通信する通信部とを備える、携帯端末装置。
【請求項２】
前記通信モジュールが前記携帯端末装置に装着されていることを検出する検出部をさらに備え、
前記選択部は、前記検出部の検出結果に基づいて、前記通信モジュールを介して通信する通信方式または前記無線通信部を介して通信する通信方式のいずれかを選択する、請求項１に記載の携帯端末装置。
【請求項３】
前記選択部は、前記携帯端末装置に前記通信モジュールが装着されているとの前記検出部の検出結果に基づいて、前記通信モジュールを介して通信する通信方式を選択する、請求項２に記載の携帯端末装置。
【請求項４】
外部からの指示を受け付ける入力部をさらに備え、
前記選択部は、前記検出部が前記携帯端末装置に前記通信モジュールが装着されていることを検出した場合に、前記入力部が受け付けた外部からの指示に基づいて、前記通信モジュールを介して通信する通信方式または前記無線通信部を介して通信する通信方式のいずれかを選択する、請求項２に記載の携帯端末装置。
【請求項５】
前記携帯端末装置が前記通信モジュールを介して前記通信装置と通信可能か否かを判断する判断部をさらに備え、
前記選択部は、前記検出部が前記携帯端末装置に前記通信モジュールが装着されていることを検出した場合に、前記携帯端末装置が前記通信モジュールを介して前記通信装置と通信可能であるとの前記判断部の判断結果に基づいて、前記通信モジュールを介して通信する通信方式を選択する、請求項２に記載の携帯端末装置。
【請求項６】
前記携帯端末装置の電池残量を計測する計測部をさらに備え、
前記選択部は、前記検出部が前記携帯端末装置に前記通信モジュールが装着されていることを検出した場合に、前記計測部により計測された前記電池残量が所定の残量未満であるとの計測結果により、所定の設定に基づいて、通信モジュールを介して通信する通信方式または前記無線通信部を介して通信する通信方式のいずれかを選択する、請求項２〜５のいずれか１項に記載の携帯端末装置。
【請求項７】
前記通信モジュールは、電力を蓄える蓄電部を含み、
前記通信モジュールが前記携帯端末装置に装着されているとの前記検出部の検出結果に基づいて、前記携帯端末装置は前記蓄電部から電力の供給を受ける、請求項２〜６のいずれか１項に記載の携帯端末装置。
【請求項８】
前記携帯端末装置が前記通信モジュールを介して前記通信装置と通信する際の通信方式は、ＤＥＣＴ（Digital  Enhanced  Cordless  Telecommunication）方式を含む、請求項１〜７のいずれか１項に記載の携帯端末装置。
【請求項９】
前記通信方式の選択は、前記通信モジュールまたは前記無線通信部のいずれかを選択することを含む、請求項１〜８のいずれか１項に記載の携帯端末装置。
【請求項１０】
前記通信方式の選択は、接続するネットワークとして前記第１のネットワークまたは前記第２のネットワークのいずれかを選択することを含む、請求項１〜８のいずれか１項に記載の携帯端末装置。
【請求項１１】
通信装置を介して第１のネットワークに接続可能に構成された通信モジュールを取り付け可能な携帯端末装置の制御方法であって、
前記携帯端末装置は、前記第１のネットワークとは異なる第２のネットワークに接続して通信する無線通信部を含み、
前記制御方法は、
他の通信装置への発信指示に基づいて、所定の選択条件に従い、前記通信モジュールを介して通信する通信方式または前記無線通信部を介して通信する通信方式のいずれかを選択するステップと、
前記選択された通信方式により、前記他の通信装置と通信するステップとを備える、携帯端末装置の制御方法。
【請求項１２】
通信装置を介して第１のネットワークに接続可能に構成された通信モジュールを取り付け可能な携帯端末装置で実行させる制御プログラムであって、
前記携帯端末装置は、前記第１のネットワークとは異なる第２のネットワークに接続して通信する無線通信部を含み、
前記制御プログラムは、前記携帯端末装置のコンピュータに、
他の通信装置への発信指示に基づいて、所定の選択条件に従い、前記通信モジュールを介して通信する通信方式または前記無線通信部を介して通信する通信方式のいずれかを選択するステップと、
前記選択された通信方式により、前記他の通信装置と通信するステップとを実行させる、携帯端末装置の制御プログラム。
【発明の詳細な説明】
【技術分野】
【０００１】
本発明は、複数の通信方式で通信可能な携帯端末装置、その制御方法、およびその制御プログラムに関する。
【背景技術】
【０００２】
近年、携帯電話機の普及により、様々な場所で携帯電話機を利用する機会が増えている。このような携帯電話機は、外部機器と接続するための外部インターフェイスを有しており、当該外部インターフェイスを介して携帯電話機と外部機器とが接続されることにより、携帯電話機に種々の機能を発揮させる技術が提案されている。
【０００３】
例えば、特開平４−３３４１３３号公報（特許文献１）には、携帯無線電話装置が開示されている。携帯無線電話装置は、装置本体の電池ボックス装着部に制御部と接続する外部インターフェイスを設け、電池ボックス装着部にコードレス用無線部と、コードレス用アンテナと、コードレス用電池部と、外部インターフェイスと接合するアダプタ側インターフェイスとからなりコードレス電話機の親機と無線電波の送受信を行なうコードレス用アダプタを着脱自在に装着するよう構成されている。
【０００４】
例えば、特開２００１−１１９４６５号公報（特許文献２）には、可搬型の携帯電話の補助装置が開示されている。補助装置は、文字入力装置を備え、携帯電話の汎用のコネクタを通じて文字列を供給するとともに、内部に電池を備え、携帯電話の汎用のコネクタを通じて携帯電話に充電用電力を供給する。
【先行技術文献】
【特許文献】
【０００５】
【特許文献１】特開平４−３３４１３３号公報
【特許文献２】特開２００１−１１９４６５号公報
【発明の概要】
【発明が解決しようとする課題】
【０００６】
しかしながら、複数のネットワークに接続し通信可能に構成されている場合であっても、接続環境や携帯電話機の状態等によっては、ユーザが相手先への発信時に接続するネットワークを適宜変更することを望む場合も少なくなく、必ずしもユーザの意図が反映されているわけではないという問題があった。
【０００７】
本発明は、上記のような問題点を解決するためになされたものであって、ユーザの意図を反映した通信方式で通信することが可能な携帯端末装置、その制御方法、およびその制御プログラムを提供することを目的とする。
【課題を解決するための手段】
【０００８】
本発明のある局面に従うと、通信装置を介して第１のネットワークに接続可能に構成された通信モジュールを取り付け可能な携帯端末装置が提供される。携帯端末装置は、第１のネットワークとは異なる第２のネットワークに接続して通信する無線通信部と、他の通信装置への発信指示に基づいて、所定の選択条件に従い、通信モジュールを介して通信する通信方式または無線通信部を介して通信する通信方式のいずれかを選択する選択部と、選択された通信方式により、他の通信装置と通信する通信部とを備える。
【０００９】
好ましくは、通信モジュールが携帯端末装置に装着されていることを検出する検出部をさらに備える。選択部は、検出部の検出結果に基づいて、通信モジュールを介して通信する通信方式または無線通信部を介して通信する通信方式のいずれかを選択する。
【００１０】
好ましくは、選択部は、携帯端末装置に通信モジュールが装着されているとの検出部の検出結果に基づいて、通信モジュールを介して通信する通信方式を選択する。
【００１１】
好ましくは、外部からの指示を受け付ける入力部をさらに備える。選択部は、検出部が携帯端末装置に通信モジュールが装着されていることを検出した場合に、入力部が受け付けた外部からの指示に基づいて、通信モジュールを介して通信する通信方式または無線通信部を介して通信する通信方式のいずれかを選択する。
【００１２】
好ましくは、携帯端末装置が通信モジュールを介して通信装置と通信可能か否かを判断する判断部をさらに備える。選択部は、検出部が携帯端末装置に通信モジュールが装着されていることを検出した場合に、携帯端末装置が通信モジュールを介して通信装置と通信可能であるとの判断部の判断結果に基づいて、通信モジュールを介して通信する通信方式を選択する。
【００１３】
好ましくは、携帯端末装置の電池残量を計測する計測部をさらに備える。選択部は、検出部が携帯端末装置に通信モジュールが装着されていることを検出した場合に、計測部により計測された電池残量が所定の残量未満であるとの計測結果により、所定の設定に基づいて、通信モジュールを介して通信する通信方式または無線通信部を介して通信する通信方式のいずれかを選択する。
【００１４】
好ましくは、通信モジュールは、電力を蓄える蓄電部を含む。通信モジュールが携帯端末装置に装着されているとの検出部の検出結果に基づいて、携帯端末装置は蓄電部から電力の供給を受ける。
【００１５】
好ましくは、携帯端末装置が通信モジュールを介して通信装置と通信する際の通信方式は、ＤＥＣＴ（Digital  Enhanced  Cordless  Telecommunication）方式を含む。
【００１６】
好ましくは、通信方式の選択は、通信モジュールまたは無線通信部のいずれかを選択することを含む。
【００１７】
好ましくは、通信方式の選択は、接続するネットワークとして第１のネットワークまたは第２のネットワークのいずれかを選択することを含む。
【００１８】
本発明の別の局面に従うと、通信装置を介して第１のネットワークに接続可能に構成された通信モジュールを取り付け可能な携帯端末装置の制御方法が提供される。携帯端末装置は、第１のネットワークとは異なる第２のネットワークに接続して通信する無線通信部を含む。制御方法は、他の通信装置への発信指示に基づいて、所定の選択条件に従い、通信モジュールを介して通信する通信方式または無線通信部を介して通信する通信方式のいずれかを選択するステップと、選択された通信方式により、他の通信装置と通信するステップとを備える。
【００１９】
本発明のさらに別の局面に従うと、通信装置を介して第１のネットワークに接続可能に構成された通信モジュールを取り付け可能な携帯端末装置で実行させる制御プログラムが提供される。携帯端末装置は、第１のネットワークとは異なる第２のネットワークに接続して通信する無線通信部を含む。制御プログラムは、携帯端末装置のコンピュータに、他の通信装置への発信指示に基づいて、所定の選択条件に従い、通信モジュールを介して通信する通信方式または無線通信部を介して通信する通信方式のいずれかを選択するステップと、選択された通信方式により、他の通信装置と通信するステップとを実行させる。
【発明の効果】
【００２０】
以上のように、ある局面によれば、ユーザの意図を反映した通信方式で通信することが可能となる。
【図面の簡単な説明】
【００２１】
【図１】本実施の形態に従う通信モジュールの使用形態の一例を示す図である。
【図２】本実施の形態に従う携帯端末装置のハードウェア構成を示すブロック図である。
【図３】本実施の形態に従う通信モジュールのハードウェア構成を示すブロック図である。
【図４】本実施の形態に従う通信モジュールを装着した携帯端末装置の機能構成を示すブロック図である。
【図５】本実施の形態に従う携帯端末装置が他の通信装置と通信する際の通信方式を選択する処理例（その１）を示すフローチャートである。
【図６】本実施の形態に従う携帯端末装置が提供するユーザインターフェイス画面の一例である。
【図７】本実施の形態に従う携帯端末装置が他の通信装置と通信する際の通信方式を選択する処理例（その２）を示すフローチャートである。
【図８】本実施の形態に従う携帯端末装置が提供するユーザインターフェイス画面の一例である。
【図９】本実施の形態に従う携帯端末装置が他の通信装置と通信する際の通信方式を選択する処理例（その３）を示すフローチャートである。
【図１０】本実施の形態に従う携帯端末装置１００が他の通信装置と通信する際の通信方式を選択する処理例（その４）を示すフローチャートである。
【図１１】本実施の形態に従う携帯端末装置が他の通信装置と通信する際の通信方式を選択する処理例（変形例）を示すフローチャートである。
【発明を実施するための形態】
【００２２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２３】
なお、以下の説明では、携帯端末装置１００が携帯電話である場合について説明する。但し、本実施の形態に従う携帯端末装置１００は、携帯可能な通信装置であれば、種類を問わず任意の装置として実装可能である。例えば、携帯端末装置１００は、タブレット端末、ＰＤＡ（Personal  Digital  Assistance）などとして実装することもできる。
【００２４】
＜Ａ．通信モジュール２００について＞
まず、携帯端末装置１００に取り付け可能な通信モジュール２００について説明する。
【００２５】
図１は、本実施の形態に従う通信モジュール２００の使用形態の一例を示す図である。図１（Ａ）は、本実施の形態に従う通信モジュール２００が固定電話機の子機に装着されている場合を示す図である。図１（Ｂ）は、本実施の形態に従う通信モジュール２００が携帯端末装置１００に装着されている場合を示す図である。
【００２６】
図１（Ａ）を参照して、第１の使用形態は、通信モジュール２００と、固定電話機の子機３０と、子機３０を充電するためのクレードル３２と、商用電源からクレードル３２に電力供給を行なうための電源ケーブル３４と、固定電話機の親機４０とを含む。親機４０は、親機４０に電力供給を行なうための電源ケーブル４２と、固定電話回線の電話網である公衆交換電話網（以下「固定電話回線網」とも称す。）に接続するための固定電話回線ケーブル４４と、子機３０とデータの送受信を行なうためのアンテナ４６とを含む。
【００２７】
第１の使用形態では、子機３０に装着された通信モジュール２００と親機４０のアンテナ４６とが互いにデータの送受信を行なうことにより、子機３０と親機４０とは通信可能となる。これにより、子機３０は、親機４０を介して固定電話回線網に接続し、発信先の通信装置（電話機）と通信することが可能となる。通信モジュール２００が装着された子機３０と親機４０とが通信可能な通信方式は、例えば、欧州電気通信標準化機構（ＥＴＳ：European  Telecommunications  Standards  Institute）が策定したデジタルコードレス電話の通信方式であるＤＥＣＴ（Digital  Enhanced  Cordless  Telecommunications）方式である。
【００２８】
次に、図１（Ｂ）を参照して、第２の使用形態は、携帯端末装置１００と、通信モジュール２００と、固定電話機の親機４０とを含む。携帯端末装置１００は、タッチパネル１０６とボタン１０８とディスプレイ１１０とを含む。
【００２９】
第２の使用形態では、携帯端末装置１００に通信モジュール２００が装着されているため、携帯端末装置１００は親機４０と通信可能である。このとき、携帯端末装置１００は、通信モジュール２００と親機４０とを介して固定電話回線網（第１のネットワーク）に接続し、発信先の通信装置と通信することが可能である。また、携帯端末装置１００は、自身が有している無線通信部を介して移動体通信網（第２のネットワーク）に接続し、発信先の通信装置と通信することも可能である。詳細は後述するが、携帯端末装置１００は、タッチパネル１０６又はボタン１０８を介してユーザからの発信の指示があった際に、通信モジュール２００の装着状態、親機４０との通信状態、発信先の電話番号、携帯端末装置１００の電池残量などの所定の選択条件に基づいて、通信モジュール２００を介して通信する通信方式または無線通信部を介して通信する通信方式のいずれかを選択し、当該選択された通信方式により、発信先の通信装置と通信する。換言すれば、携帯端末装置１００は、通信モジュール２００または無線通信部を選択することで、２つの回線網（ネットワーク）のうちいずれのネットワークに接続するのかを選択し、当該選択されたネットワークに接続して発信先の通信装置と通信する。
【００３０】
上記のように、通信モジュール２００が装着された携帯端末装置１００は、固定電話機の子機として使用したり、子機として使用する際の携帯端末装置１００のメモリに格納された電話帳を利用したり、所定の選択条件に基づいて選択された通信方式で発信先の通信装置と通信したりすることが可能である。
【００３１】
＜Ｂ．ハードウェア構成＞
（ｂ１．携帯端末装置１００）
まず、携帯端末装置１００のハードウェア構成について説明する。
【００３２】
図２は、本実施の形態に従う携帯端末装置１００のハードウェア構成を示すブロック図である。
【００３３】
図２を参照して、携帯端末装置１００は、主たる構成要素として、ＣＰＵ（Central  Processing  Unit）１０２と、メモリ１０４と、タッチパネル１０６と、ボタン１０８と、ディスプレイ１１０と、無線通信部１１２と、通信アンテナ１１３と、電源部１１４と、メモリインターフェイス（Ｉ／Ｆ）１１６と、マイク１２０と、スピーカ１２２と、レシーバ１２４と、通信インターフェイス（Ｉ／Ｆ）１２８と、外部インターフェイス１３０とを含む。
【００３４】
ＣＰＵ１０２は、メモリ１０４に記憶されたプログラムを読み出して実行することで、携帯端末装置１００の各部の動作を制御する。より詳細にはＣＰＵ１０２は、当該プログラムを実行することによって、後述する携帯端末装置１００の処理（ステップ）の各々を実現する。なお、ＣＰＵ１０２は、マイクロプロセッサ（Microprocessor）、ＦＰＧＡ（Field  Programmable  Gate  Array）、ＡＳＩＣ（Application  Specific  Integrated  Circuit）、ＤＳＰ（Digital  Signal  Processor）およびその他の演算機能を有する回路のいずれであってもよい。
【００３５】
メモリ１０４は、ＲＡＭ（Random  Access  Memory）、ＲＯＭ（Read-Only  Memory）、ハードディスクなどによって実現される。メモリ１０４は、ＣＰＵ１０２によって実行されるプログラム、データなどを記憶する。
【００３６】
タッチパネル１０６は、表示部としての機能を有するディスプレイ１１０上に設けられており、抵抗膜方式、表面弾性波方式、赤外線方式、電磁誘導方式、静電容量方式などのいずれのタイプであってもよい。タッチパネル１０６は、光センサ液晶を含んでもよい。タッチパネル１０６は、外部の物体によるタッチパネル１０６へのタッチ操作を検知して、タッチ座標（タッチ位置）をＣＰＵ１０２に入力する。
【００３７】
ボタン１０８は、携帯端末装置１００の表面に配置されており、ユーザからの指示を受け付けて、ＣＰＵ１０２に入力する。ボタン１０８は、例えば、表示画面を遷移させる画面遷移ボタン、確定ボタン、キャンセルボタンなどを含む。
【００３８】
無線通信部１１２は、通信アンテナ１１３を介して移動体通信網に接続し無線通信のための信号の送受信を行なう。すなわち、無線通信部１１２は、ＣＰＵ１０２からの通信データを通信信号に変換し、その通信信号を通信アンテナ１１３を介して送信したり、通信アンテナ１１３を介して受信した通信信号を通信データに変換し、その通信データをＣＰＵ１０２に入力する。これにより、携帯端末装置１００は、たとえば、第３世代移動通信システム（３Ｇ）、ＬＴＥ（Long  Term  Evolution）、ＷｉＭＡＸ（Worldwide  Interoperability  for  Microwave  Access）などの移動体通信網を介して発信先の通信装置との通信が可能となる。
【００３９】
電源部１１４は、携帯端末装置１００を動作させるための電力を供給する。電源部１１４は、例えば、リチウムイオン電池その他の充電可能な二次電池として実現される。
【００４０】
メモリインターフェイス（Ｉ／Ｆ）１１６は、外部の記憶媒体１１８からデータを読み出す。すなわち、ＣＰＵ１０２は、メモリインターフェイス１１６を介して外部の記憶媒体１１８に格納されているデータを読み出して、当該データをメモリ１０４に格納する。逆に、ＣＰＵ１０２は、メモリ１０４からデータを読み出して、メモリインターフェイス１１６を介して当該データを外部の記憶媒体１１８に格納する。
【００４１】
なお、記憶媒体１１８としては、ＣＤ（Compact  Disc）、ＤＶＤ（Digital  Versatile  Disk）、ＢＤ（Blu-ray  Disc）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、ＥＰＲＯＭ、ＥＥＰＲＯＭ（Electronically  Erasable  Programmable  Read-Only  Memory）などの、不揮発的にプログラムを格納する媒体が挙げられる。
【００４２】
マイク１２０は、通話の際に音声を入力し、レシーバ１２４は、通話の際に音声を出力する。また、スピーカ１２２は、ＣＰＵ１０２からの指示に基づいて、音声を出力する。例えば、ＣＰＵ１０２は、音声データに基づいて、スピーカ１２２に音声を出力させる。
【００４３】
通信インターフェイス（Ｉ／Ｆ）１２８は、携帯端末装置１００と外部装置との間で各種データを遣り取りするための通信インターフェイスであり、アダプタやコネクタなどによって実現される。なお、通信方式としては、Ｂｌｕｅｔｏｏｔｈ（登録商標）、無線ＬＡＮ（Local  Area  Network）、ＷｉＦｉ（wireless  fidelity）による無線通信であってもよいし、ＵＳＢ（Universal  Serial  Bus）バスを利用した有線通信であってもよい。
【００４４】
外部インターフェイス（Ｉ／Ｆ）１３０は、通信モジュール２００を接合するためのインターフェイスである。外部インターフェイス１３０に通信モジュール２００の外部インターフェイスが接合されると、ＣＰＵ１０２は通信モジュール２００を制御することが可能となる。
【００４５】
（ｂ２．通信モジュール２００）
次に、通信モジュール２００のハードウェア構成について説明する。
【００４６】
図３は、本実施の形態に従う通信モジュール２００のハードウェア構成を示すブロック図である。
【００４７】
図３を参照して、通信モジュール２００は、主たる構成要素として、ＣＰＵ２０２と、メモリ２０４と、外部Ｉ／Ｆ２０６と、充電回路２０８と、蓄電部２１０と、データ通信部２１２と、通信アンテナ２１４とを含む。
【００４８】
ＣＰＵ２０２は、メモリ２０４に記憶されたプログラムを読み出して実行することで、通信モジュール２００の各部を制御する。
【００４９】
メモリ２０４は、各種のＲＡＭや、ＲＯＭなどによって実現される。メモリ２０４は、ＣＰＵ２０２によって実行されるプログラムなどを記憶する。
【００５０】
外部インターフェイス２０６は、携帯端末装置１００と通信モジュール２００とを接合するためのインターフェイスである。
【００５１】
充電回路２０８は、蓄電部２１０を充電するための回路である。充電回路２０８には、商用電源からのＡＣ（Alternating  Current）電力が、クレードル３２を介して供給される。ＣＰＵ２０２は、例えば、通信モジュール２００がクレードル３２に設置されたことを検出すると、充電回路２０８に対して蓄電部２１０を充電するように指示する。
【００５２】
データ通信部２１２は、通信アンテナ２１４を介して親機４０と無線通信のための信号の送受信を行なう。すなわち、データ通信部２１２により、通信モジュール２００は、親機４０を介して固定電話回線網に接続可能に構成される。
【００５３】
＜Ｃ．機能構成＞
次に、通信モジュール２００が装着されている携帯端末装置１００の機能構成について説明する。
【００５４】
図４は、本実施の形態に従う通信モジュール２００を装着した携帯端末装置１００’の機能構成を示すブロック図であり、携帯端末装置１００のハードウェアと通信モジュール２００のハードウェアとを機能面で一体的に融合した図として表現している。
【００５５】
図４を参照して、携帯端末装置１００’は、主たる機能構成として、選択部１０と、通信制御部１１と、検出部１２と、入力部１３と、判断部１４と、計測部１５とを含む。これらの機能は、基本的には、携帯端末装置１００のＣＰＵ１０２がメモリ１０４に格納されたプログラムを実行し、携帯端末装置１００の構成要素へ指令を与えることなどによって実現される。すなわち、ＣＰＵ１０２は携帯端末装置１００の動作全体を制御する制御部としての機能を有する。なお、これらの機能構成の一部または全部はハードウェアで実現されていてもよい。また、ＣＰＵ１０２は、一部機能について通信モジュール２００のＣＰＵ２０２と連係して当該機能を実現してもよい。
【００５６】
選択部１０は、他の通信装置への発信の指示があったときに、所定の選択条件に基づいて、通信モジュール２００を介して通信する通信方式または無線通信部１１２を介して通信する通信方式のいずれかを選択する。具体的には、選択部１０は、通信モジュール２００または無線通信部１１２を選択することで、固定電話回線網または移動体通信網のうちいずれのネットワークに接続するのかを選択する。
【００５７】
選択部１０は、例えば、後述する検出部１２の検出結果に基づいて、他の（発信先の）通信装置と通信する際の通信方式を選択する。具体的には、選択部１０は、ある局面では、携帯端末装置１００に通信モジュール２００が装着されているとの検出部１２の検出結果に基づいて、通信モジュール２００を介して通信する通信方式（固定電話回線網への接続）を選択する。
【００５８】
また、選択部１０は、別の局面では、携帯端末装置１００に通信モジュール２００が装着されている場合に、入力部１３が受け付けた外部からの指示に基づいて、発信先の通信装置と通信する際の通信方式を選択する。
【００５９】
また、選択部１０は、さらに別の局面では、携帯端末装置１００に通信モジュール２００が装着されている場合に、通信モジュール２００を介して親機４０と通信可能な状態であるとの判断部１４の判断結果に基づいて、通信モジュール２００を介して通信する通信方式を選択する。
【００６０】
また、選択部１０は、さらに別の局面では、携帯端末装置１００に通信モジュール２００が装着されている場合に、発信先の電話番号に対応する登録内容に基づいて、発信先の通信装置と通信する際の通信方式を選択する。選択部１０は、携帯端末装置１００に通信モジュール２００が装着されている場合に、計測部１５により計測された電池残量が所定の残量未満であるとの計測結果により、所定の設定に基づいて、発信先の通信装置と通信する際の通信方式を選択する。
【００６１】
通信制御部１１は、出力された選択結果に基づいて、発信先の通信装置と通信するように通信モジュール２００あるいは無線通信部１１２を制御する。具体的には、通信モジュール２００を介して通信する通信方式が選択された場合には、通信制御部１１は、親機４０を介して固定電話回線網に接続して発信先の通信装置と通信するように通信モジュール２００におけるデータ通信部２１２を制御する。無線通信部１１２を介して通信する通信方式が選択された場合には、通信制御部１１は、移動体通信網に接続して発信先の通信装置と通信するように無線通信部１１２を制御する。すなわち、通信制御部１１とデータ通信部２１２と無線通信部１１２とは、連係して動作することで、選択部１０によって選択された通信方式により発信先の通信装置と通信する通信部としての機能を実現する。
【００６２】
検出部１２は、外部インターフェイス１３０に通信モジュール２００側の外部インターフェイス２０６が接合されているか否かを検出する。具体的には、検出部１２は、例えば、互いの外部インターフェイスが接合された際に、外部インターフェイス１３０から送出される信号等を受信することで上記検出を行なう。検出部１２は、選択部１０に検出結果を出力する。
【００６３】
入力部１３は、外部からの入力を受け付ける。具体的には、入力部１３は、ユーザからの指示を受け付けたタッチパネル１０６（またはボタン１０８）が入力した信号を受信する。入力部１３は、選択部１０に受信した信号を出力する。
【００６４】
判断部１４は、携帯端末装置１００が通信モジュール２００を介して通信装置（親機４０）と通信可能な状態であるか否かを判断する。具体的には、判断部１４は、データ通信部２１２と親機４０との間でデータの送受信が可能なエリア内に携帯端末装置１００が存在しているか否かを判断する。判断部１４は、例えば、親機４０との間で通信可能か否かを確認させる信号をデータ通信部２１２に送信し、データ通信部２１２から当該確認結果を示す信号を受信することで、上記判断を行なう。
【００６５】
計測部１５は、携帯端末装置１００の電池残量を計測する。具体的には、計測部１５は、携帯端末装置１００の電源部１１４の電池残量と、装着されている通信モジュール２００の蓄電部２１０の電池残量とを計測し、その合計を携帯端末装置１００’の電池残量として算出する。ただし、計測部１５は、電源部１１４および蓄電部２１０のいずれか一方の電池残量を携帯端末装置１００’の電池残量として算出してもよい。なお、計測部１５は、通信モジュール２００が装着されていない場合には、電源部１１４の電池残量を携帯端末装置１００の電池残量として算出する。
【００６６】
＜Ｄ．フローチャート＞
本実施の形態に従う携帯端末装置１００が他の通信装置と通信する際の通信方式を選択する処理手順のいくつかの例について説明する。
【００６７】
（ｄ１．処理例（その１））
ここでは、携帯端末装置１００が他の通信装置と通信する際の通信方式を選択する処理例（その１）について説明する。
【００６８】
図５は、本実施の形態に従う携帯端末装置１００が他の通信装置と通信する際の通信方式を選択する処理例（その１）を示すフローチャートである。図５に示す各ステップは、基本的には、ＣＰＵ１０２がプログラムを実行することで実現される。
【００６９】
図５を参照して、ＣＰＵ１０２は、図６に示すような電話番号の入力画面をディスプレイ１１０に表示する（ステップＳ１０２）。
【００７０】
図６は、本実施の形態に従う携帯端末装置１００が提供するユーザインターフェイス画面の一例である。
【００７１】
図６を参照して、ユーザインターフェイス画面１０００は、発信する際の電話番号が表示される表示領域１００２と、発信ボタン１００４と、キャンセルボタン１００６と、「電話番号を入力して下さい。」といった電話番号の入力を促すメッセージ１００８とを含む。ユーザは、タッチパネル１０６（またはボタン１０８）を介して電話番号を入力し、発信ボタン１００４を押下することで当該電話番号に対応する通信装置に対して発信することができる。
【００７２】
再び、図５を参照して、ＣＰＵ１０２は、発信の指示を受け付けたか否かを判断する（ステップＳ１０４）。具体的には、ＣＰＵ１０２は、電話番号が入力され、発信ボタン１００４が押下されたか否かを判断する。ＣＰＵ１０２は、発信の指示を受け付けていない場合（ステップＳ１０４においてＮＯの場合）には、ステップＳ１０４を繰り返す。
【００７３】
これに対して、ＣＰＵ１０２が、発信の指示を受け付けた場合（ステップＳ１０４においてＹＥＳの場合）には、ＣＰＵ１０２（検出部１２）は、通信モジュール２００の装着が検出されたか否かを判断する（ステップＳ１０６）。具体的には、ＣＰＵ１０２（検出部１２）は、例えば、外部インターフェイス１３０から通信モジュール２００の外部インターフェイス２０６と接合を示す信号などを受信したか否かを判断する。通信モジュール２００の装着が検出された場合（ステップＳ１０６においてＹＥＳの場合）には、ＣＰＵ１０２は、通信モジュール２００を介して通信する通信方式により発信先の通信装置に電話発信する（ステップＳ１１０）。具体的には、ＣＰＵ１０２（選択部１０）は、通信モジュール２００の装着を検出したとの検出結果に基づいて、通信モジュール２００を介した固定電話回線網への接続を選択する。そして、ＣＰＵ１０２（通信制御部１１）は、当該選択結果に基づいて、親機４０を介して固定電話回線網に接続し発信先の通信装置と通信するように通信モジュール２００におけるデータ通信部２１２を制御する。そして、処理は、終了する。
【００７４】
これに対して、通信モジュール２００の装着が検出されていない場合（ステップＳ１０６においてＮＯの場合）には、ＣＰＵ１０２は、無線通信部１１２を介して通信する通信方式により発信先の通信装置に電話発信する（ステップＳ１０８）。具体的には、ＣＰＵ１０２（選択部１０）は、通信モジュール２００の装着を検出していないとの検出結果に基づいて、無線通信部１１２を介した移動体通信網への接続を選択する。そして、ＣＰＵ１０２（通信制御部１１）は、当該選択結果に基づいて、移動体通信網に接続し発信先の通信装置と通信するように無線通信部１１２を制御する。そして、処理は、終了する。
【００７５】
上記の処理例（その１）によると、携帯端末装置１００は、発信の指示を受け付けたときに、通信モジュール２００が装着されている場合には、自動的に固定電話回線網に接続する。従って、ユーザは、接続するネットワークの選択操作の手間などを省くことができる。
【００７６】
（ｄ２．処理例（その２））
ここでは、携帯端末装置１００が他の通信装置と通信する際の通信方式を選択する処理例（その２）について説明する。処理例（その２）では、通信モジュール２００が携帯端末装置１００に装着されている場合、携帯端末装置１００は、発信の指示を受け付けると、接続するネットワークの選択画面をディスプレイ１１０に表示し、選択されたネットワークに接続する点において処理例（その１）とは異なる。
【００７７】
図７は、本実施の形態に従う携帯端末装置１００が他の通信装置と通信する際の通信方式を選択する処理例（その２）を示すフローチャートである。図７に示す各ステップは、基本的には、ＣＰＵ１０２がプログラムを実行することで実現される。
【００７８】
ここで、ステップＳ１０２〜ステップＳ１０８までの処理は処理例（その１）のものと同様であるため、その詳細な説明は繰り返さない。
【００７９】
図７を参照して、ＣＰＵ１０２は、通信モジュール２００の装着を検出した場合（ステップＳ１０６においてＹＥＳの場合）には、図８に示すようなユーザインターフェイス画面を表示する（ステップＳ２０２）。
【００８０】
図８は、本実施の形態に従う携帯端末装置１００が提供するユーザインターフェイス画面の一例である。
【００８１】
図８を参照して、ユーザインターフェイス画面１１００は、「接続するネットワークを選択して下さい。」といったネットワークの選択を促すメッセージ１１０２と、固定電話回線網への接続を示すボタン１１０４と、移動体通信網への接続を示すボタン１１０６と、キャンセルボタン１１０８とを含む。ユーザは、タッチパネル１０６（またはボタン１０８）を介してボタン１１０４または１１０６を押下することで、接続するネットワークを選択することができる。換言すると、ユーザは、通信モジュール２００を介して通信する通信方式または無線通信部１１２を介して通信する通信方式のいずれかを選択することができる。
【００８２】
再び、図７を参照して、ＣＰＵ１０２（入力部１３）は、ネットワークの選択の指示を受け付けたか否かを判断する（ステップＳ２０４）。具体的には、ＣＰＵ１０２（入力部１３）は、タッチパネル１０６（またはボタン１０８）を介してボタン１１０４または１１０６のいずれかのボタンが選択された信号を受信したか否かを判断する。ＣＰＵ１０２（入力部１３）は、当該選択の指示を受け付けていない場合（ステップＳ２０４においてＮＯの場合）には、ステップＳ２０４を繰り返す。これに対して、ＣＰＵ１０２（入力部１３）は、当該選択の指示を受け付けた場合（ステップＳ２０４においてＹＥＳの場合）には、ＣＰＵ１０２は、選択された通信方式により発信先の通信装置に電話発信する（ステップＳ２０６）。具体的には、ＣＰＵ１０２（選択部１０）は、入力部１３が受け付けた指示に基づいて、接続するネットワークを選択する。そして、ＣＰＵ１０２（通信制御部１１）は、当該選択結果に基づいて、移動体通信網に接続する場合には無線通信部１１２を、固定電話回線網に接続する場合にはデータ通信部２１２を、発信先の通信装置と通信するように制御する。そして、処理は、終了する。
【００８３】
上記の処理例（その２）によると、携帯端末装置１００は、通信モジュール２００が装着されている場合には、ユーザに対して、発信先の通信装置と通信する際の通信方式（接続するネットワーク）を選択するように促す。従って、ユーザは、状況に応じて適宜、接続するネットワークを選択することができる。
【００８４】
（ｄ３．処理例（その３））
ここでは、携帯端末装置１００が他の通信装置と通信する際の通信方式を選択する処理例（その３）について説明する。処理例（その３）では、通信モジュール２００が携帯端末装置１００に装着されている場合、携帯端末装置１００は、発信の指示を受け付けると、自身が親機４０と通信可能なエリア内に存在しているか否かを判断し、判断結果に基づいて選択された通信方式により通信する点において上記の処理例とは異なる。
【００８５】
図９は、本実施の形態に従う携帯端末装置１００が他の通信装置と通信する際の通信方式を選択する処理例（その３）を示すフローチャートである。図９に示す各ステップは、基本的には、ＣＰＵ１０２がプログラムを実行することで実現される。
【００８６】
ここで、ステップＳ１０２〜ステップＳ１０８までの処理は処理例（その１）のものと同様であるため、その詳細な説明は繰り返さない。
【００８７】
図９を参照して、ＣＰＵ１０２（検出部１２）が、通信モジュール２００の装着を検出した場合（ステップＳ１０６においてＹＥＳの場合）には、ＣＰＵ１０２（判断部１４）は、通信モジュール２００を介して親機４０と通信可能な状態であるか否かを判断する（ステップＳ３０２）。具体的には、ＣＰＵ１０２（判断部１４）は、データ通信部２１２と親機４０との間でデータの送受信が可能なエリア内に携帯端末装置１００が存在しているか否かを判断する。携帯端末装置１００が親機４０と通信可能な状態でない場合（ステップＳ３０２においてＮＯの場合）には、ＣＰＵ１０２（選択部１０、通信制御部１１）は、無線通信部１１２を介して通信する通信方式により（移動体通信網に接続して）発信先の通信装置に電話発信する（ステップＳ１０８）。そして、処理は、終了する。これに対して、携帯端末装置１００が親機４０と通信可能な状態である場合（ステップＳ３０２においてＹＥＳの場合）には、ＣＰＵ１０２（選択部１０、通信制御部１１）は、親機４０を介して固定電話回線網に接続して発信先の通信装置に電話発信する（ステップＳ１１２）。そして、処理は、終了する。
【００８８】
上記の処理例（その３）によると、携帯端末装置１００は、通信モジュール２００が装着されているとき、親機４０との間で通信が可能な場合には固定電話回線網に、不可能な場合には移動体通信網に接続する。従って、ユーザは、親機４０との通信が可能なエリアか否かを気にする必要がなくなる。
【００８９】
（ｄ４．処理例（その４））
ここでは、携帯端末装置１００が他の通信装置と通信する際の通信方式を選択する処理例（その４）について説明する。処理例（その４）では、通信モジュール２００が携帯端末装置１００に装着されている場合、携帯端末装置１００は、発信の指示を受け付けると、発信先の電話番号が通信モジュール２００を介して通信する通信方式を選択するように登録されているか否かを判断し、判断結果に基づいて選択された通信方式により通信する点において上記の処理例とは異なる。
【００９０】
図１０は、本実施の形態に従う携帯端末装置１００が他の通信装置と通信する際の通信方式を選択する処理例（その４）を示すフローチャートである。図１０に示す各ステップは、基本的には、ＣＰＵ１０２がプログラムを実行することで実現される。
【００９１】
ステップＳ１０２〜ステップＳ１０８までの処理は処理例（その１）のものと同様であるため、その詳細な説明は繰り返さない。
【００９２】
図１０を参照して、携帯端末装置１００に通信モジュール２００が装着されている場合（ステップＳ１０６においてＹＥＳの場合）には、ＣＰＵ１０２（選択部１０）は、メモリ１０４に格納されている電話帳データを参照して、入力された電話番号が通信モジュール２００を介して通信する通信方式を選択するように登録されているか否かを判断する（ステップＳ４０２）。当該通信方式を選択するように登録されている場合（ステップＳ４０２においてＹＥＳの場合）には、ＣＰＵ１０２（選択部１０、通信制御部１１）は、当該通信方式により（固定電話回線網に接続して）、発信先の通信装置に電話発信する（ステップＳ１１２）。そして、処理は、終了する。これに対して、入力された電話番号が通信モジュール２００を介して通信する通信方式を選択するように登録されていない場合（ステップＳ４０２においてＮＯの場合）には、無線通信部１１２を介して通信する通信方式により（移動体通信網に接続して）、発信先の通信装置に電話発信する（ステップＳ１０８）。そして、処理は、終了する。
【００９３】
なお、ＣＰＵ１０２は、入力された電話番号が無線通信部１１２を介して通信する通信方式を選択するようにメモリ１０４に登録されている場合には、移動体通信網に接続し発信先の通信装置に電話発信する処理を行なってもよい。また、ＣＰＵ１０２は、入力された電話番号から発信先の通信装置の種別（例えば、固定電話機、携帯電話機など）に基づいて、通信方式を選択してもよい。この場合、ＣＰＵ１０２は、例えば、予めメモリ１０４に格納されている、電話番号の種別を示すデータを参照して、当該種別を特定する。
【００９４】
上記の処理例（その４）によると、携帯端末装置１００は、通信モジュール２００が装着されているとき、電話番号に対応する登録内容に基づいて、通信方式を選択する。従って、ユーザは、希望する通信方式を電話番号と関連付けて登録しておくことで、自動的に当該通信方式で通信することができる。
【００９５】
（ｄ５．変形例）
上記の処理例（その１〜その４）において、さらに携帯端末装置１００の電池残量を考慮した処理を追加する変形例について説明する。また、ここでは、ユーザは、電池残量が少なくなったときには、携帯端末装置１００を携帯電話（無線通信部１１２を介して通信する通信方式）として使用したいものとする。
【００９６】
以下では、例えば、処理例（その１）において、電池残量を考慮した処理を追加した場合について説明する。
【００９７】
図１１は、本実施の形態に従う携帯端末装置１００が他の通信装置と通信する際の通信方式を選択する処理例（変形例）を示すフローチャートである。図１１に示す各ステップは、基本的には、ＣＰＵ１０２がプログラムを実行することで実現される。
【００９８】
ステップＳ１０２〜ステップＳ１０８までの処理は処理例（その１）のものと同様であるため、その詳細な説明は繰り返さない。
【００９９】
図１１を参照して、通信モジュール２００の装着が検出された場合（ステップＳ１０６においてＹＥＳの場合）には、ＣＰＵ１０２（計測部１５）は、携帯端末装置１００の電池残量が所定の電池残量以上か否かを判断する（ステップＳ５０２）。例えば、ＣＰＵ１０２（計測部１５）は、電源部１１４および蓄電部２１０の電池残量の合計を携帯端末装置１００の電池残量として算出する。計測部１５は、電源部１１４および蓄電部２１０のいずれか一方の電池残量を携帯端末装置１００の電池残量として算出してもよい。なお、当該所定の電池残量は、ユーザが設定により任意に定めることができる。
【０１００】
所定の電池残量以上である場合（ステップＳ５０２においてＹＥＳの場合）には、ＣＰＵ１０２（選択部１０、通信制御部１１）は、通信モジュール２００を介して通信する通信方式により（固定電話回線網に接続して）、発信先の通信装置に電話発信する（ステップＳ１１２）。そして、処理は、終了する。これに対して、所定の電池残量未満である場合（ステップＳ５０２においてＮＯの場合）には、ＣＰＵ１０２（選択部１０、通信制御部１１）は、無線通信部１１２を介して通信する通信方式により（移動体通信網に接続して）、発信先の通信装置に電話発信する（ステップＳ１０８）。そして、処理は、終了する。
【０１０１】
また、上記処理例では、所定の電池残量以上である場合には、通信モジュール２００を介して通信する通信方式により発信先の通信装置に電話発信し、所定の電池残量未満である場合には、無線通信部１１２を介して通信する通信方式により発信先の通信装置に電話発信するものとしたが、これに限るものではない。すなわち、電池残量が所定の電池残量以上である場合には無線通信部１１２を介して通信する通信方式により発信先の通信装置に電話発信する一方、所定の電池残量未満である場合には、通信モジュール２００を介して通信する通信方式により発信先の通信装置に電話発信するように設定してもよい。この場合、通信モジュール２００による通信方式のほうが省電力であり通信時間を長くすることができる。
【０１０２】
図７に示した処理例（その２）においては、ステップＳ５０２が、ステップＳ１０６とステップＳ２０２との間に追加されてもよい。図９に示した処理例（その３）においては、ステップＳ５０２が、ステップＳ３０２とステップＳ１１０との間に追加されてもよい。図１０に示した処理例（その４）においては、ステップＳ５０２が、ステップＳ４０２とステップＳ１１０との間に追加されてもよい。
【０１０３】
（ｄ６．まとめ）
ユーザは、上記の処理例（その１〜その４）および変形例のうち、希望する処理例を設定内容として予め携帯端末装置１００のメモリ１０４に格納しておけばよい。ユーザは、メモリ１０４に格納された設定内容を変更することで、上記の処理例を適宜変更することが可能である。ＣＰＵ１０２は、メモリ１０４にアクセスし設定されている処理例に基づいて、処理を実行する。
【０１０４】
＜Ｅ．その他の実施の形態＞
携帯端末装置１００は、通信モジュール２００を装着しているときには、基本的にはいずれのネットワーク（固定電話回線網および移動体通信網）を介しても別の通信装置から着信することが可能である。しかし、携帯端末装置１００に通信モジュール２００が装着されているときでも、携帯端末装置１００は、所定の選択条件に基づいて、いずれかのネットワークを介した別の通信装置からの着信を制限するように設定されていてもよい。例えば、携帯端末装置１００の電池残量が所定の残量未満になった場合には、携帯端末装置１００は、固定電話回線網を介した着信を制限（拒否）するように設定されていてもよいし、移動体通信網を介した着信を制限（拒否）するように設定されていてもよい。
【０１０５】
なお、コンピュータを機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１０６】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１０７】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１０８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１０９】
１０  選択部、１１  通信制御部、１２  検出部、１３  入力部、１４  判断部、１５  計測部、３０  子機、３２  クレードル、３４，４２  電源ケーブル、４０  親機、４４  固定電話回線ケーブル、４６  アンテナ、１００  携帯端末装置、１０２，２０２  ＣＰＵ、１０４，２０４  メモリ、１０６  タッチパネル、１０８  ボタン、１１０  ディスプレイ、１１２  無線通信部、１１３，２１４  通信アンテナ、１１４  電源部、１１６  メモリインターフェイス、１１８  記憶媒体、１２０  マイク、１２２  スピーカ、１２４  レシーバ、１３０，２０６  外部インターフェイス、２００  通信モジュール、２０８  充電回路、２１０  蓄電部、２１２  データ通信部。
【図１】
2013192170.tif 000003
【図２】
2013192170.tif 000004
【図３】
2013192170.tif 000005
【図４】
2013192170.tif 000006
【図５】
2013192170.tif 000007
【図６】
2013192170.tif 000008
【図７】
2013192170.tif 000009
【図８】
2013192170.tif 000010
【図９】
2013192170.tif 000011
【図１０】
2013192170.tif 000012
【図１１】
2013192170.tif 000013